(57)【要約】【課題】  隣接する中耕爪の間に位置する雑草を的確に取り除くことができるカルチベータ用中耕除草装置を提供することである。【解決手段】  畦間中心線に沿って走行させるセンタービーム（２０）の所定箇所に、センタービームと直交するように両方向又は一方向に水平に延びたシャンク（２８）の先端に取付けられた中耕爪（３０）と、中耕爪の下端に取付けられ、隣接する畦間との間に位置する雑草を切り取るための草カッタ（３２）とを備えていることを特徴とする中耕除草装置が提供される。【選択図】  図１
0003133805.tif 000002
【実用新案登録請求の範囲】
【請求項１】
カルチベータ用中耕除草装置であって、
畦間中心線に沿って走行させるセンタービームの所定箇所に、前記センタービームと直交するように両方向又は一方向に水平に延びたシャンクの先端に取付けられた中耕爪と、  前記中耕爪の下端に取付けられ、隣接する畦間との間に位置する雑草を切り取るための草カッタとを備えていることを特徴とする装置。
【請求項２】
前記草カッタが、湾曲した又は真っ直ぐな刃部と、前記刃部の一端に設けられ、前記刃部に対して一定の角度をなすように折り曲げられた取付部とを有し、前記取付部に設けられた孔を前記中耕爪の下端に設けられた孔に合わせてボルト留めすることによって前記中耕爪に取付けられることを特徴とする請求項１に記載の装置。
【考案の詳細な説明】
【技術分野】
【０００１】
本考案は一般に、カルチベータに取り付けられる装置に関する。より詳細には、本考案は、カルチベータに取付けて、雑草を切り取るのに用いられるカルチベータ用中耕除草装置に関する。
【背景技術】
【０００２】
農作業において、中耕除草作業は、作物の生育初期から中期にかけて、畑の表土を攪拌することにより、土壌の通気性の向上や水分保持、地温上昇、土壌微生物の活性化などを図るとともに、雑草の防除を行う作業であり、作物の生育過程における重要な管理作業のひとつである。
【０００３】
中耕・除草作業は一般に、カルチベータを用いて行われている。カルチベータは、フレームに１条当たり３本〜４本の中耕爪を装着した作業機械である。従来、中耕除草作業は、カルチベータに取り付けた中耕爪の先端にヤナギ刃を装着することによって行われている。
【考案の開示】
【考案が解決しようとする課題】
【０００４】
しかしながら、ヤナギ刃の間隔があいているため、その部分に位置する雑草を取り除くことができないという弊害があった。
【０００５】
本考案は、このような状況に鑑みて案出されたものであって、隣接する中耕爪の間に位置する雑草を的確に取り除くことができるカルチベータ用中耕除草装置を提供することを目的としている。
【課題を解決するための手段】
【０００６】
本願請求項１に記載のカルチベータ用中耕除草装置は、畦間中心線に沿って走行させるセンタービームの所定箇所に、前記センタービームと直交するように両方向又は一方向に水平に延びたシャンクの先端に取付けられた中耕爪と、前記中耕爪の下端に取付けられ、隣接する畦間との間に位置する雑草を切り取るための草カッタとを備えていることを特徴とするものである。
【０００７】
本願請求項２に記載のカルチベータ用中耕除草装置は、前記請求項１の装置において、前記草カッタが、湾曲した又は真っ直ぐな刃部と、前記刃部の一端に設けられ、前記刃部に対して一定の角度をなすように折り曲げられた取付部とを有し、前記取付部に設けられた孔を前記中耕爪の下端に設けられた孔に合わせてボルト留めすることによって前記中耕爪に取付けられることを特徴とするものである。
【考案の効果】
【０００８】
本考案によれば、中耕除草作業に際して、隣接する畦間との間に位置する雑草を効率的に切り取ることができる。本考案の装置は、構造が簡単であるため、製造コストが廉価であり、故障するおそれも少ないため、メンテナンスコストを安価に保持することができる。本考案の装置では、草カッタの取付け状態（外向き、内向きなど）を適宜変えることにより、所望の作業（例えば、作物の根際の雑草の刈り取り）を容易に実施することができる。
【考案を実施するための最良の形態】
【０００９】
次に添付図面を参照して、本考案の好ましい実施の形態に係るカルチベータ用中耕除草装置について詳細に説明する。図１は、本考案の好ましい実施の形態に係るカルチベータ用中耕除草装置が設置されたカルチベータ１０を示した後方斜視図である。図１に示されるカルチベータ１０には、前部にトラクタ（図示せず）の油圧３点支持装置に連結されるマスト１２を有するツールバー１４が配置されている。
【００１０】
ツールバー１４には、所定間隔を隔てて３本の縦桁１６が、締金１８を介してボルト留めされている。各縦桁１６は、ボルトを弛めて締金１８の位置を調整することにより、ツールバー１４の所望の箇所に固定することができるようになっている。
【００１１】
各縦桁１６の下方には、センタービーム２０がそれぞれ配置されている。各縦桁１６の前端および後端には、揺動リンク２２ａ、２２ｂの一端が回動可能にそれぞれ取り付けられ、各センタービーム２０の前端および中央に設けられたＵ形枠金２２ｃには、揺動リンク２２ａ、２２ｂの他端が回動可能にそれぞれ取り付けられている。これにより、縦桁１６、センタービーム２０、および揺動リンク２２ａ、２２ｂによって平行四辺形のリンク機構が形成され、センタービーム２０が縦桁１６に対して平行に上下動することができるようになっている。また、センタービーム２０の前端には、ヨーク２４を介して定規輪２６が回動可能に取り付けられている。以上のカルチベータ１０の構成は、公知のものであり、本願考案の特徴を構成するものではない。
【００１２】
本考案の好ましい実施の形態に係るカルチベータ用中耕除草装置は、センタービーム２０の所定箇所に、センタービーム２０と直交するように両方向に水平にそれぞれ延びたシャンク２８を備えており、シャンク２８の先端に、中耕爪３０が取り付けられている。
【００１３】
カルチベータ用中耕除草装置は又、中耕爪３０の下端に取り付けられた草カッタ３２を備えている。図３（ａ）は、草カッタ３２を示した拡大斜視図である。草カッタ３２は、図３（ａ）に示されるように、湾曲した刃部３２ａと、刃部３２ａの一端に設けられた取付部３２ｂとを有している。刃部３２ａの一縁には、鋭利な刃先３２ａ１が設けられ、取付部３２ｂには、中耕爪３０の下端にボルト留めするための孔３２ｂ１が設けられている。また、取付部３２ｂは、刃部３２ａに対して一定の角度をなすように折り曲げられている。
【００１４】
図４（ａ）は、草カッタ３２が中耕刃３０に取り付けられている状態を示した平面図、図４（ｂ）は、図４（ａ）の線４ｂ−４ｂに沿って見た側面図である。草カッタ３２は、取付部３２ｂの孔３２ｂ１を中耕爪３０の孔３０ａに合わせてボルト留めすることによって中耕爪３０に取り付けられる。
【００１５】
図３（ｂ）は、別の形態の草カッタ３２′を示した拡大斜視図である。草カッタ３２′は、刃部３２′ａが真っ直ぐに形成されている点を除いて、草カッタ３２と実質的に同一の構成を有している。すなわち、草カッタ３２′は、真っ直ぐな刃部３２′ａと、刃部３２′ａの一端に設けられた取付部３２′ｂとを有している。刃部３２′ａの一縁には、鋭利な刃先３２′ａ１が設けられ、取付部３２′ｂには、中耕爪３０へのボルト留め用の孔３２′ｂ１が設けられている。また、取付部３２′ｂは、刃部３２′ａに対して一定の角度をなすように折り曲げられている。
【００１６】
図５は、カルチベータ用中耕除草装置を示した平面図である。図５（ａ）では、隣接する草カッタ３２の先端が互いの方へ配向されるように、草カッタ３２が中耕爪３０に取付けられている。或いは、隣接する草カッタ３２の先端が互いに遠去かる方へ配向されるように、草カッタ３２を中耕爪３０に取り付けてもよい（図５（ｂ）参照）。
【００１７】
図６（ａ）は、隣接する草カッタ３２′の先端が互いの方へ配向されるように、草カッタ３２′が中耕爪３０に取り付けられた例、図６（ｂ）は、隣接する草カッタ３２′の先端が互いに遠去かる方へ配向されるように、草カッタ３２′が中耕爪３０に取り付けられた例を示している。
【００１８】
図７は、本考案のカルチベータ用中耕除草装置を使用して中耕除草作業を行っている状態を模式的に示した平面図である。センタービーム２０が畦間の中心線に沿って移動するようにカルチベータ１０を走行させることにより、隣接する畦間との間に位置する雑草を草カッタ３２、３２′で切り取ることができる。なお、中耕爪３０が土中５ｃｍ程度の箇所にあるときに草カッタ３２、３２′の先端が土の表面より３ｃｍ程度のところに位置するように、草カッタ３２、３２′を中耕爪３０に取り付けるのが好ましい。
【００１９】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２０】
たとえば、前記実施の形態では、１本のツールバー１４に３本のセンタービーム２０が配置されているが、センタービーム２０の配置本数はこれに限定されるものではない。また、図示されている草カッタ３２、３２′の長さ、幅、形状などは、単なる例示的なものにすぎず、これに限定されるものではない。さらに、前記実施の形態では、センタービーム２０の両方向にシャンク２８（従って、中耕爪３０及び草カッタ３２、３２′）が設けられているが、センタービーム２０の一方向にのみシャンク２８（従って、中耕爪３０及び草カッタ３２、３２′）を設けてもよい。
【図面の簡単な説明】
【００２１】
【図１】本考案の好ましい実施の形態に係るカルチベータ用中耕除草装置が設置されたカルチベータを示した後方斜視図である。
【図２】図１のカルチベータの一部を拡大した斜視図である。
【図３】図３（ａ）は、草カッタを示した拡大斜視図、図３（ｂ）は、別の形態の草カッタを示した拡大斜視図である。
【図４】図４（ａ）は、草カッタが中耕爪に取り付けられている状態を示した平面図、図４（ｂ）は、図４（ａ）の線４ｂ−４ｂに沿って見た側面図である。
【図５】図５（ａ）は、図３（ａ）の草カッタの先端が互いの方へ配向されるように中耕爪に取り付けられている状態を示した図、図５（ｂ）は、図３（ａ）の草カッタの先端が互いに遠去かる方へ配向されるように中耕爪に取り付けられている状態を示した図である。
【図６】図６（ａ）は、図３（ｂ）の草カッタの先端が互いの方へ配向されるように中耕爪に取り付けられている状態を示した図、図６（ｂ）は、図３（ｂ）の草カッタの先端が互いに遠去かる方へ配向されるように中耕爪に取り付けられている状態を示した図である。
【図７】本考案のカルチベータ用中耕除草装置を使用して中耕除草作業を行っている状態を模式的に示した平面図である。
【符号の説明】
【００２２】
１０  カルチベータ
１２  マスト
１４  ツールバー
１６  縦桁
１８  締金
２０  センタービーム
２４  ヨーク
２６  定規輪
２８  シャンク
３０  中耕爪
３２、３２′  草カッタ
【図１】
0003133805.tif 000003
【図２】
0003133805.tif 000004
【図３】
0003133805.tif 000005
【図４】
0003133805.tif 000006
【図５】
0003133805.tif 000007
【図６】
0003133805.tif 000008
【図７】
0003133805.tif 000009